(57)【要約】【課題】折畳式ボードの表裏を反転して使用したり、高さを調整したりすることが可能な折畳式ボードを提供する。【解決手段】床面に載置される平板状の座部１３と、床面から直立する平板状の直立部１２を有する折畳式ボード１１である。折畳式ボード１１は第１水平屈曲部１４ａと第２水平屈曲部１４ｂを有する。両水平屈曲部１４ａ、１４ｂを横断する方向で座部１３及び直立部１２に延在する垂直屈曲部１５を設け、座部１３と直立部１２を真っ直ぐに伸ばした状態で垂直屈曲部１５を曲げることでコンパクトに折り畳む。ボードの下部の曲げる位置を第１水平屈曲部１４ａとするか第２水平屈曲部１４ｂとするかで、座部１３をボードの表側又は裏側のどちらに曲げるかを選択し、ボードの表裏を反転して使用したり、高さを調整したりする。【選択図】図３
2014001585.tif 000002
【特許請求の範囲】
【請求項１】
室内の窓際に設置する折畳式ボードであって、床面に載置される平板状の座部と、床面から直立する平板状の直立部とを有し、前記座部と直立部は第１水平屈曲部を介して接続され、前記第１水平屈曲部の上方の前記直立部に第１水平屈曲部と平行な第２水平屈曲部を形成し、また前記座部及び前記直立部に、不使用時に前記折畳式ボードを折り畳めるように、前記第１及び第２水平屈曲部を横断する方向で延在する垂直屈曲部を設け、前記第１水平屈曲部と第２水平屈曲部は折畳式ボードの表裏異なる側から切込みを入れることにより形成し、
使用時に、前記第１水平屈曲部を略直角にして前記座部を室内側に向けて水平状態にすると共に、前記直立部を直立状態にして前記垂直屈曲部の折れ曲がりを規制するか、又は、
前記折畳式ボードを表裏反対向きにして前記第１水平屈曲部は曲げない代わりに前記第２水平屈曲部を前記第１水平屈曲部を曲げた側とは反対側に略直角にして前記座部を室内側に向けて水平状態にすると共に、前記直立部を直立状態にして前記垂直屈曲部の折れ曲がりを規制するようにしたことを特徴する折畳式ボード。
【請求項２】
前記第２水平屈曲部を前記直立部の高さ方向中央付近に形成し、前記第２水平屈曲部より上側の直立部を下方に折り曲げて前記直立部を略半分の高さにしたことを特徴とする請求項１の折畳式ボード。
【請求項３】
下方に折り曲げた前記直立部の下端部を床面に当接させることで自立性を持たせたことを特徴とする請求項２の折畳式ボード。
【請求項４】
前記第１水平屈曲部又は第２水平屈曲部にその屈曲を拘束する拘束手段を装着可能にしたことを特徴とする請求項１から３のいずれか１の折畳式ボード。
【請求項５】
ボードの表裏いずれか一方の面に金属泊又は金属蒸着フィルムを形成したことを特徴とする請求項１から４のいずれか１の折畳式ボード。
【請求項６】
ボードの構成材内部に金属泊又は金属蒸着フィルムを形成したことを特徴とする請求項１から５のいずれか１の折畳式ボード。
【請求項７】
床面に載置される平板状の座部と、床面から直立する平板状の直立部とを有し、前記座部と直立部は第１水平屈曲部を介して接続され、前記第１水平屈曲部の上方の前記直立部に第１水平屈曲部と平行な第２水平屈曲部を形成し、また前記座部及び前記直立部に、不使用時に前記折畳式ボードを折り畳めるように、前記第１及び第２水平屈曲部を横断する方向で延在する垂直屈曲部を設け、前記第１水平屈曲部と第２水平屈曲部は折畳式ボードの表裏異なる側から切込みを入れることにより形成した折畳式ボードの使用方法において、
使用時に、前記折畳式ボードを室内の窓際に設置し、その際、
前記第１水平屈曲部を略直角にして前記座部を室内側に向けて水平状態にすると共に、前記直立部を直立状態にして前記垂直屈曲部の折れ曲がりを規制するか、又は、
前記折畳式ボードを表裏反転して前記第１水平屈曲部は曲げない代わりに前記第２水平屈曲部を前記第１水平屈曲部を曲げた側とは反対側に略直角にして前記座部を室内側に向けて水平状態にすると共に、前記直立部を直立状態にして前記垂直屈曲部の折れ曲がりを規制するようにしたことを特徴する折畳式ボードの使用方法。
【発明の詳細な説明】
【技術分野】
【０００１】
本発明は、床面に直立状に載置可能な折畳式ボードに関するものである。
【背景技術】
【０００２】
住居の窓は、室内外の熱伝達経路の一つであり、例えば、冬季には窓ガラス又はその近傍で冷却された空気や、窓ガラスとサッシとの隙間から侵入してくる屋外の冷気により、暖房効果を低減させてしまうという問題があった。そのため、従来は、カーテンや障子を用いて窓と室内中央部との間に冷気の停滞空間を形成し、暖房効率の向上を図っている。
【０００３】
しかし、洋室の場合、主としてカーテンが採用されているが、カーテンの周縁部と建物の内壁面又は床面との間には隙間が生じやすく、必ずしも効率的に暖房効果の低減を抑制できる訳ではなかった。また、昼間に障子やカーテンを閉めると、和室・洋室の如何を問わず、屋外からの採光量が減少して室内が薄暗くなったり、屋外の景観が遮られたりするという問題もある。
【０００４】
そこで、図８（Ａ）のように、窓際Ｒの床面４などから窓１の所定位置（例えば高さ５０〜１００ｃｍ程度）まで冷気の遮蔽板２を設置することが考えられる。遮蔽板２としては、例えば矩形平板状のものでよく、その両端縁及び下縁部を窓際Ｒの壁面３及び床面４に接触させると、窓１と室内中央部との間に冷気の停滞空間５を形成することができるから、室内中央部への冷気の侵入を軽減させることができる。また、遮蔽板２の高さを、窓１の所定位置（例えば中央部近傍）までにすれば、屋外の景観・採光量の問題は解消される。
【０００５】
また、遮蔽板２は、温暖季などの不使用時における収納性を考慮すると、図示の如く表裏両面交互に切り込みを入れて折り畳み可能に構成することが望ましい。このような折畳式ボードは、例えば特許文献１、２により知られている。
【先行技術文献】
【特許文献】
【０００６】
【特許文献１】特開２００８−０１４１３４
【特許文献２】特開２００３−２６５２９０
【発明の開示】
【発明が解決しようとする課題】
【０００７】
しかしながら特許文献１、２の従来の折畳式ボードは、ボードに対する座部の取り付け位置と曲げる向きが決まっているため、ボードを表裏反転して使用することができず、また高さも変えることができなかった。
【０００８】
本発明はかかる課題に鑑み創案するに至ったものであって、その目的は、表裏を反転して使用したり、高さを調整したりすることが可能な折畳式ボードを提供することにある。本発明のその他の目的は、以下の明細書の記載により説明することとする。
【課題を解決するための手段】
【０００９】
本発明の請求項１に記載の折畳式ボードは、室内の窓際に設置する折畳式ボードであって、床面に載置される平板状の座部と、床面から直立する平板状の直立部とを有し、前記座部と直立部は第１水平屈曲部を介して接続され、前記第１水平屈曲部の上方の前記直立部に第１水平屈曲部と平行な第２水平屈曲部を形成し、また前記座部及び前記直立部に、不使用時に前記折畳式ボードを折り畳めるように、前記第１及び第２水平屈曲部を横断する方向で延在する垂直屈曲部を設け、前記第１水平屈曲部と第２水平屈曲部は折畳式ボードの表裏異なる側から切込みを入れることにより形成し、使用時に、前記第１水平屈曲部を略直角にして前記座部を室内側に向けて水平状態にすると共に、前記直立部を直立状態にして前記垂直屈曲部の折れ曲がりを規制するか、又は、前記折畳式ボードを表裏反対向きにして前記第１水平屈曲部は曲げない代わりに前記第２水平屈曲部を前記第１水平屈曲部を曲げた側とは反対側に略直角にして前記座部を室内側に向けて水平状態にすると共に、前記直立部を直立状態にして前記垂直屈曲部の折れ曲がりを規制するようにしたことを特徴する折畳式ボードである。
【００１０】
本発明の折畳式ボードは、従来の折畳式ボードと同様に、室内の窓際に設置して窓際で冷却された空気や、窓ガラス及びサッシの隙間から屋外の冷気が室内中央部に流入するのを軽減させ、暖房効率を向上させることができ、不使用時には垂直屈曲部で折り曲げる事によりコンパクトに収納することができることは勿論のこと、第１及び第２水平屈曲部を有するので、座部の曲げる向きを変えることで折畳式ボードの表裏を反転した使用が可能になり、また曲げる箇所を変えることでボードの高さを調節することが可能になるので、折畳式ボードの使用方法を多様化することができる。
【発明の効果】
【００１１】
本発明は前述の如く、折畳式ボードの下部の曲げる位置を第１水平屈曲部とするか第２水平屈曲部とするかで折畳式ボードの座部の向きを変えることができるから、折畳式ボードを表裏反転して使用することができる。
【００１２】
また、第２水平屈曲部の位置を折畳式ボードの高さ方向中央付近にすることで、必要に応じてボードの高さを約半分にすることもでき、高さを高くして夏場の強い陽射しの遮光性を高めたり、高さを半減して冬場の暖かい陽射しを室内に取り込んだりすることができる。また、高さを半減した場合は折畳式ボードをトライアングル状に折り畳むことも可能であり、これによりボードの自立性を高めることができ、例えばボードを窓際からある程度離しても安定的に自立させることができる。
【図面の簡単な説明】
【００１３】
【図１】（Ａ）は本発明に係る折畳式ボードの展開時の正面図で、（Ｂ）は同じく背面図である。
【図２】（Ａ）〜（Ｃ）は、第１、第２水平屈曲部又は垂直屈曲部を例示する断面図である。
【図３】（Ａ）は折畳式ボードの使用例を示す斜視図、（Ｂ）は同じく縦断平面図、（Ｃ）は折曲げ部の位置を変えた使用例を示す縦断面図、（Ｄ）（Ｅ）は屈曲部の拘束部材を示す斜視図である。
【図４】（Ａ）〜（Ｄ）は折畳式ボードの他の実施形態と使用例を示す縦断平面図である。
【図５Ａ】（ａ）（ｂ）は折畳式ボードのさらに他の実施形態と使用例を示す縦断平面図である。
【図５Ｂ】（ａ）（ｂ）は折畳式ボードのさらに他の実施形態と使用例を示す縦断平面図である。
【図５Ｃ】（ａ）（ｂ）は折畳式ボードのさらに他の実施形態と使用例を示す縦断平面図である。
【図６】折畳式ボードのさらに他の実施形態を示す直立部の部分断面図である。
【図７】折畳式ボードを折り畳んだ状態を示す斜視図である。
【図８】（Ａ）（Ｂ）は従来例を示す図である。
【発明を実施するための形態】
【００１４】
以下、図面を参照しつつ本発明に係る折畳式ボード１１の実施形態について説明する。この実施形態に係る折畳式ボード１１は、例えば図１（Ａ）（Ｂ）に示す正面図及び背面図のように、矩形平板状の直立部１２と、直立部１２と同厚の矩形平板状の座部１３とを第１水平屈曲部１４ａを介して接続している。また、この第１水平屈曲部１４の上側の直立部１２に、第１水平屈曲部１４ａと平行な第２水平屈曲部１４ｂを形成している。この第２水平屈曲部１４ｂは、第１水平屈曲部１４ａの切込み側とは反対側から切り込まれている。
【００１５】
また、第１水平屈曲部１４ａ及び第２水平屈曲部１４ｂと相違する方向（例えば直交方向）で、かつ、直立部１２及び座部１３の表裏両面に、交互に、所定間隔で、垂直屈曲部１５を設けている。そして、直立部１２の裏側及び／又は座部１３の底面側に、滑り止め部１６を取り付けている。
【００１６】
本発明の折畳式ボード１１は、図２（Ａ）（Ｂ）のように、直立部１２及び座部１３を合成樹脂板１７（例えば発泡ポリエチレンなどの断熱板）や木板１８などで構成することができ、前者の場合は、例えば同図（Ａ）のように、合成樹脂板１７を合成樹脂製織布又はシート１９で被覆し、第１水平屈曲部１４ａ、第２水平屈曲部１４ｂ及び垂直屈曲部１５を、切り込みにより構成することができる。一方、すべての屈曲部を同図（Ｂ）のように、第１、第２水平屈曲部１４ａ、１４ｂ及び／又は垂直屈曲部１５を、ヒンジ２０により構成してもよい。なお、ヒンジ２０は、直立部１２又は座部１３の縁部に形成された切り欠き部２１に嵌め込んでネジ２２で固定すれば、収納時に嵩高くなるのを防止できる。
【００１７】
また、直立部１２又は座部１３の表裏両面は、必ずしも平坦状である必要はなく、例えば、図２（Ｃ）のように、パーティングラインＰから凹状に形成し、所定の装飾（例えば絵、キャラクター、文字など）を施してもよい。これにより、室内のインテリアとしてのデザイン性を向上させることができる。
【００１８】
なお、直立部１２及び座部１３は、矩形状以外の形状でもよく、例えば、直立部１２の上辺及び座部１３の下辺は曲線状であってもよいし、直立部１２及び座部１３を展開した時の形状が円形状、台形状、多角形状であってもよい。
【００１９】
滑り止め部１６としては、例えば両面テープ、ゴムシート（表面を所定形状に加工をしたものを含む。）、面ファスナーなどのシート状のものでよい。すなわち、滑り止め部１６は、直立部１２及び座部１３の接触対象（壁面３や床面４など）の材質に応じて適宜変更すればよく、例えばフローリングの場合には、両面テープやゴムシートなど、絨毯の場合には面ファスナーなどを用いるとよい。なお、両面テープを用いる場合は、少なくとも片面を繰り返し剥離可能なものを用い、不使用時には剥離シート（図示略）にて接着面を保護するとよい。
【００２０】
また、滑り止め部１６は、直立部１２と座部１３とで同一の材質のものにする必要はなく、例えば、直立部１２には両面テープ、座部１３にはゴムシートを用いるなど異なる材質のものにしてもよい。また、滑り止め部１６の取り付け位置は、図示したものに限定する必要はなく、適宜変更可能である。
【００２１】
本発明の折畳式ボード１１は前述の如く構成され、例えば図３（Ａ）〜（Ｃ）のように、室内の窓際Ｒに設置して窓１で冷却された空気や、窓ガラス及びサッシの隙間から屋外の冷気が室内中央部に流入するのを軽減させ、暖房効率を向上させることができる。すなわち、図３（Ｂ）のように第１水平屈曲部１４ａを折り曲げるか、或いは図３（Ｃ）のように第２水平屈曲部１４ｂを折り曲げることにより、直立部１２及び座部１３が垂直屈曲部１５で折れ曲がるのを防止して、直立部１２の両端縁及び座部１３の座面全体を室内側の壁面３及び床面４などに接触させることが可能になる。これにより直立部１２の直立状態を維持し、窓際Ｒの冷気を停滞空間５に確実に停滞させることができ、直立部１２と座部１３とを略直角にすることにより折畳式ボード１１全体としての安定性を向上させることができる。
【００２２】
また、座部１３を形成するために、第１水平屈曲部１４ａ又は第２水平屈曲部１４ｂのいずれかを屈曲させることで、折畳式ボード１１の表裏の選択と、高さの調整をすることができる。表裏の選択は、特に折畳式ボード１１の直立部１２に色彩や図柄を表裏で違うものを形成している場合に好都合である（いわゆるリバーシブルでの使用）。図３（Ａ）（Ｂ）で折畳式ボード１１の室内側をＡ面、窓側をＢ面とすると、第１水平屈曲部１４ａはＢ面に切込みを入れることで形成し、第２水平屈曲部１４ｂはＡ面に切込みを入れることで形成する。こうすることで、図３（Ｃ）のように折畳式ボード１１のＡ面とＢ面を逆転したリバーシブルでの使用が可能となる。
【００２３】
第１水平屈曲部１４ａ又は第２水平屈曲部１４ｂのうち、屈曲させない方は、望ましくは図３（Ｄ）のように断面コ字形で適度な弾性を有する樹脂製等のクリップ２５を直立部１２の側縁に嵌めておく。第２水平屈曲部１４ｂはＡ面に形成してあるので、クリップ２５を嵌めないでも直立部１２が室内側に簡単に倒れることはない。クリップ２５は側縁に沿って簡単にスライド移動できるので、いちいち着脱する必要はない。
【００２４】
クリップ２５の代わりに、図３（Ｅ）のように第２水平屈曲部１４ｂの切込み端面１２ａ、１２ｂにマグネット２６ａ、２６ｂを埋め込んでおいてもよい。そして第２水平屈曲部１４ｂを真っ直ぐにした状態でマグネット２６ａ、２６ｂが互いに吸着することで屈曲を防止し、第２水平屈曲部１４ｂで屈曲させたい時はマグネット２６ａ、２６ｂを離間させるように折り曲げればよい。クリップ２５やマグネット２６ａ、２６ｂは、第２水平屈曲部１４ｂの屈曲を防止する拘束手段の一例であって、同等の機能を有するものであればその他の各種部材を使用可能である。
【００２５】
図４（Ａ）は、第２水平屈曲部１４ｂの位置を折畳式ボード１１の上端に近い位置に付け変えたものである。第１水平屈曲部１４ａの切込みをＢ面に形成している場合は、第２水平屈曲部１４ｂの切込みはＡ面にする。このように第１水平屈曲部１４ａと第２水平屈曲部１４ｂを異なる側に形成することで、図４（Ｂ）のように上下を反転してリバーシブルで使用することが可能になる。また、図４（Ｃ）又は図４（Ｄ）のように上側の第２水平屈曲部１４ｂ又は１４ａを下方に折曲げることで高さを低くすることができる。このような高さ調整により、室内に取り込む太陽の陽射しを調節したり、外部から見える範囲を変えたりすることができる。
【００２６】
図５Ａ（ａ）（ｂ）は、第２水平屈曲部１４ｂの位置を折畳式ボード１１の約半分の高さ位置に付け変えたものである。これにより、（ａ）のように第２水平屈曲部１４ｂを真っ直ぐに伸ばした状態では折畳式ボード１１の高さを高くでき、例えば夏場の強い陽射しを遮る遮光板として使用する場合に便利である。また、（ｂ）のように第２水平屈曲部１４ｂを屈曲させて上側の直立部１２を下方に折り曲げることで、折畳式ボード１１の高さを約半分にすることができ、冬場の暖かい太陽の陽射しを室内に導入するが、窓際の冷気は直立部１２によって室内に流入しないようにすることができる。
【００２７】
また、直立部１２のいずれか一方の面に図５Ｂ（ａ）（ｂ）のように遮光層２７を形成してもよい。折畳式ボード１１を発泡ポリエチレンなどの合成樹脂板で構成した場合、ボードの厚さによっては光が透過する割合が高くなるので、遮光性を高めたい場合はアルミ蒸着フィルムなどの遮光性のある薄い層で遮光層２７を形成するとよい。
【００２８】
また、図５Ｃ（ａ）（ｂ）のように、遮光層２７を直立部１２の表裏両面に形成し、直立部１２の片側を反射性遮光層２７ａとし、反対側を黒色フィルムなどの非反射性遮光層２７ｂとすることで、夏場は（ａ）のように反射性遮光層２７ａを窓側に向けることで室内のエアコンの冷房効果を高め、冬場は（ｂ）のように非反射性遮光層２７ｂを窓側に向けることで室内のエアコンの暖房効果を高めることができる。このような反射性の異なる２種類の遮光層２７ａ、２７ｂによる折畳式ボード１１の両面使い分けは、図３（Ｂ）（Ｃ）や図４（Ａ）〜（Ｄ）の実施形態で行うことも勿論可能である。
【００２９】
また、遮光層は図６のようにボード１１の直立部１２を表側１２ｃと裏側１２ｄの二層で構成し、中間にアルミ等の金属泊又は金属蒸着フィルムによる遮光層２８を挟み込むようにしてもよい。この場合は直立部１２の両面に印刷フィルムやエンボス加工等によって意匠面２９ａ、２９ｂを形成することができ、リバーシブルでの使用に好都合となる。
【００３０】
折畳式ボード１１は夏場でも冬場でも使用可能であるが、窓を開放して掃除等をする場合や、長期間使用しないために収納する場合には、図７のように両方の水平屈曲部１４ａ、１４ｂを真っ直ぐに伸ばした状態で垂直屈曲部１５を交互に折り曲げることで、折畳式ボード１１を簡単かつコンパクトに折り畳むことができ、収納性が非常によく収納場所に困らない。
【００３１】
以上、本発明の実施形態につき説明したが、本発明は上記の実施形態に限定されることなく種々の変形が可能であって、例えば前記実施形態では水平方向では第１水平屈曲部１４ａと第２水平屈曲部１４ｂの２つを形成したが、さらに水平屈曲部を増やすことも可能である。この場合、使用態様により屈曲させない水平屈曲部は、図３（Ｄ）や（Ｅ）のように屈曲防止手段で屈曲を防止する。
【符号の説明】
【００３２】
１１：折畳式ボード
１２：直立部
１３：座部
１４ａ：第１水平屈曲部
１４ｂ：第２水平屈曲部
１５：垂直屈曲部
１６：滑り止め部
２５：クリップ（屈曲防止手段）
２６：マグネット（屈曲防止手段）
【図１】
2014001585.tif 000003
【図２】
2014001585.tif 000004
【図３】
2014001585.tif 000005
【図４】
2014001585.tif 000006
【図５Ａ】
2014001585.tif 000007
【図５Ｂ】
2014001585.tif 000008
【図５Ｃ】
2014001585.tif 000009
【図６】
2014001585.tif 000010
【図７】
2014001585.tif 000011
【図８】
2014001585.tif 000012